(57)【要約】      （修正有）【課題】マルチネットワーク無線通信アクセス端末（ＡＴ）がマルチネットワークカバレッジにアクセスするためのシステムと方法を提供する。【解決手段】第１の通信ネットワークにマルチネットワークＡＴを登録する５０２。第１のネットワークへの登録に応答して、ＡＴは第２の通信ネットワーク（例えばＩＥＥＥ８０２．２０または１ｘＥＶ-ＤＯネットワーク）にアクセスするために必要な情報を第１のネットワークを介して受信する５０４。ＡＴは、第１のネットワークを介して受信されたアクセス情報に応答して、第２のネットワークを介してアクセスされるサービスを得る５０６。例えば、第２のネットワークのアクセス情報は、システム情報、チャネル情報、またはアクセスポイントパラメータである。【選択図】図８
2014140191.tif 000002
【特許請求の範囲】
【請求項１】
マルチネットワーク無線通信アクセス端末（ＡＴ）において、
第１の通信ネットワークにマルチネットワークＡＴを登録することと、
第１のネットワークへの登録に応答して、第２の通信ネットワークにアクセスするために必要な情報を第１のネットワークを介して受信することと、
第１のネットワークを介して受信されるアクセス情報に応答して、第２のネットワークを介してアクセスされるサービスを得ることとを含む、マルチネットワークカバレッジにアクセスするための方法。
【請求項２】
第２の通信ネットワークに対するアクセス情報を受信することが、システム情報、チャネル情報、およびアクセスポイントパラメータから成るグループから選択されるアクセス情報を受信することを含む請求項１に記載の方法。
【請求項３】
第２のネットワークへのアクセスに失敗することと、
第２のネットワークへアクセスしないことに応答して、第１のネットワークを介してアクセスされるサービスを得ることとをさらに含む、請求項１の方法。
【請求項４】
第２のネットワークへのアクセスに失敗することが、第２のネットワークに対するアクセス情報の受信に失敗することと、第２のネットワーク無線カバレッジの受信に失敗することとから成るグループから選択される１つの動作に応答して、第２のネットワークにアクセスすることに失敗することを含む請求項３に記載の方法。
【請求項５】
ＡＴが第２のネットワークの存在を検出することと、
ＡＴが第１のネットワークのアクセスポイント（ＡＰ）から第２のネットワークに対するアクセス情報を要求することとをさらに含み、
第２のネットワークに対するアクセス情報を受信することが、ＡＴが前記要求に応答して第１のネットワークのＡＰから第２のネットワークのアクセス情報を受信することを含む、請求項１に記載の方法。
【請求項６】
ＡＴが第２のネットワークの存在を検出することが、ＡＴが第２のネットワーク内のＡＰに対する識別子を検出することを含み、かつ
ＡＴが第２のネットワークに対するアクセス情報を要求することが、ＡＴが要求において第２のネットワークのＡＰ識別子を用いることを含む、請求項５に記載の方法。
【請求項７】
第１のネットワークを介して第２のネットワークページングメッセージを受信することと、
前記ページングメッセージの受信に応答して第２のネットワークにアクセスすることとをさらに含む、請求項１に記載の方法。
【請求項８】
通信ネットワークのアクセスポイント（ＡＰ）において、
第１の通信ネットワークのＡＰを設けることと、
第２の通信ネットワークのＡＰが第１のネットワークのＡＰの存在を検出することと、
第２のネットワークのＡＰが第１のネットワークのＡＰの検出に応答してアクセス情報の放送を停止することとを含む、無線通信マルチネットワークカバレッジを提供するための方法。
【請求項９】
第１のネットワークのＡＰがシステム情報、チャネル情報、およびアクセスポイントパラメータから成るグループから選択される第２のネットワークのアクセス情報を提供することをさらに含む、請求項８に記載の方法。
【請求項１０】
第２のネットワークのＡＰが第２のネットワークのアクセス情報を第１のネットワークのＡＰに提供することをさらに含み、
第１のネットワークのＡＰが第２のネットワークのアクセス情報を提供することが、第１のネットワークのＡＰが第２のネットワークのＡＰによって提供されるアクセス情報を提供することを含む、請求項９に記載の方法。
【請求項１１】
第１のネットワークのＡＰがアクセス端末（ＡＴ）から第２のネットワークのアクセス情報に関する要求を受信することをさらに含み、
第１のネットワークのＡＰが第２のネットワークのアクセス情報を提供することが、第１のネットワークのＡＰが要求に応答して第２のネットワークのアクセス情報を提供することを含む、請求項９に記載の方法。
【請求項１２】
第２のネットワークのＡＰがＡＰ識別子を放送することをさらに含み、
ＡＴから第２のネットワークのアクセス情報の要求を受信することが、第１のネットワークのＡＰがＡＰ識別子により参照される第２のネットワークのＡＰに対するアクセス情報の要求を受信することを含む、請求項１１に記載の方法。
【請求項１３】
第２のネットワークのＡＰが第２のネットワークのアクセス情報を第１のネットワークのＡＰに提供することが、第２のネットワークのＡＰが第１のネットワークのＡＰへレイヤー２シグナリング用にカプセル化されたメッセージを送ることを含む、請求項１０に記載の方法。
【請求項１４】
第１のネットワークのＡＰが第２のネットワークのＡＰに対するページングメッセージを放送することと、
ＡＴがページングメッセージの受信に応答して第２のネットワークのＡＰへ登録することとをさらに含む、請求項８に記載の方法。
【請求項１５】
第１のネットワークのＡＰが第２のネットワークのアクセス情報を提供することが、  第１のネットワークのＡＰが第２のネットワークのＡＰの存在を検出することと、
第１のネットワークのＡＰが第２のネットワークのＡＰの利用可能性を公表することとを含む、請求項８に記載の方法。
【請求項１６】
マルチネットワーク無線通信アクセス端末（ＡＴ）において、
第１の通信ネットワークにＡＴを登録するための無線インタフェースと第２の通信ネットワークに対して受信されるアクセス情報を提供するためのインタフェースとを有する第１の通信サブシステムと、
第１のサブシステムからアクセス情報を受信するためのインタフェースと受信されるアクセス情報を提供するためのインタフェースとを有するアクセスモジュールと、
第２のネットワークを介してアクセスされるサービスを得るための無線インタフェースを備えた第２の通信サブシステムであって、第２のネットワークはアクセスモジュールに接続されたインタフェースを介して受信される第２のネットワークのアクセス情報のみを用いてアクセスされる、通信サブシステムとを含む、マルチネットワークカバレッジにアクセスするためのシステム。
【請求項１７】
第１のサブシステムが、システム情報、チャネル情報、およびアクセスポイントパラメータから成るグループから選択される第２のネットワークに対するアクセス情報を受信する、請求項１６に記載のシステム。
【請求項１８】
第２のサブシステムが、第２のネットワークへのアクセスに失敗し、アクセスモジュールへアクセス失敗通知を送り、
アクセスモジュールが、前記アクセス失敗通知の受信に応答してアクセス取得コマンドを第１のサブシステムに送り、かつ
第１のサブシステムが、前記アクセス取得コマンドに応答して第１のネットワークを介してサービスにアクセスする、請求項１６に記載のシステム。
【請求項１９】
第２のネットワークに対するアクセス情報の受信に失敗することと、第２のネットワーク無線カバレッジの受信に失敗することとから成るグループから選択される１つの動作に応答して第２のネットワークへのアクセスに失敗する、請求項１８に記載の方法。
【請求項２０】
第２のサブシステムが、第２のネットワークの存在を検出し、検出通知をアクセスモジュールに送り、
アクセスモジュールが、前記検出通知の受信に応答して要求コマンドを第１のサブシステムに送り、かつ
第１のサブシステムが、前記要求コマンドに応答して第１のネットワークのアクセスポイント（ＡＰ）から第２のネットワークに対するアクセス情報を要求し、前記要求に応答して第１のネットワークのＡＰから第２のネットワークに対するアクセス情報を受信する、請求項１６に記載のシステム。
【請求項２１】
第２のサブシステムが、第２のネットワークのＡＰに対する識別子を検出し、かつ
第１のサブシステムが、要求において前記第２のネットワークのＡＰ識別子を用いて第２のネットワークに対するアクセス情報を要求する、請求項２０に記載のシステム。
【請求項２２】
第１のサブシステムの無線インタフェースが、第１のネットワークのＡＰから第２のネットワークページングメッセージを受信する、請求項１６に記載のシステム。
【請求項２３】
無線通信マルチネットワークカバレッジを提供するためのシステムであって、
第１の通信ネットワークで動作している第２のＡＰの存在を検出するための無線インタフェースと検出情報を提供するためのインタフェースとを備えた第１の通信サブシステムと、
前記検出情報を受信するためのインタフェースと放送停止コマンドを提供するためのインタフェースとを有する配信モジュールと、
前記配信モジュールに接続されたインタフェースを介して前記放送停止コマンドを受信することに応答して、第２の通信ネットワークのアクセス情報の放送を停止する無線インタフェースを有する第２の通信サブシステムとを含む、第１のアクセスポイント（ＡＰ）を含むシステム。
【請求項２４】
第１のネットワークに第２のネットワークのアクセス情報を提供するための無線インタフェースを備えた第１の通信サブシステムを含む第２のＡＰをさらに含み、前記アクセス情報はシステム情報、チャネル情報、およびアクセスポイントパラメータから成るグループから選択される、請求項２３に記載のシステム。
【請求項２５】
第１のＡＰが、第２のネットワークのアクセス情報を第２のＡＰに提供し、かつ第２のＡＰが、第１のサブシステムの無線インタフェースを介して第１のＡＰによって提供される前記アクセス情報を放送する、請求項２４に記載のシステム。
【請求項２６】
第２のＡＰが、第１のサブシステムの無線インタフェースを介してアクセス端末（ＡＴ）から第２のネットワークのアクセス情報に対する要求を受信し、前記要求に応答して第２のネットワークのアクセス情報を提供する、請求項２４に記載のシステム。
【請求項２７】
第１のＡＰが、第１のＡＰ識別子を放送し、かつ
第２のＡＰが、前記第１のＡＰ識別子を参照してＡＴから第１のＡＰのアクセス情報に対する要求を受信する、請求項２６に記載のシステム。
【請求項２８】
第１のＡＰが、第２のネットワークのアクセス情報をレイヤー２シグナリング用にカプセル化されたメッセージで第２のＡＰに提供する、請求項２５に記載のシステム。
【請求項２９】
第２のＡＰが、第１のサブシステムの無線インタフェースを介して第１のＡＰのページングメッセージを放送し、かつ
第１のＡＰが、前記ページングメッセージに応答して第２のサブシステムの無線インタフェースを介してＡＴを登録する、請求項２４に記載のシステム。
【請求項３０】
第２のＡＰが、第１のＡＰの存在を検出し、第１の通信ネットワークサブシステムを介して第１のネットワークのＡＰの利用可能性を公表する、請求項２３に記載のシステム。
【請求項３１】
マルチネットワークカバレッジにアクセス可能な無線通信アクセス端末であって、
第１の通信ネットワークにマルチネットワークアクセス端末を登録するための手段と、
第１のネットワークへの登録に応答して第１のネットワークを介して第２の通信ネットワークに対するアクセス情報を受信するための手段と、
第１のネットワークを介して受信したアクセス情報に応答して、第２のネットワークを介してアクセスされるサービスを得るための手段とを含むアクセス端末。
【請求項３２】
マルチネットワーク無線通信アクセス端末（ＡＴ）において、マルチネットワークカバレッジにアクセスするための動作を実行するためのディジタル処理装置によって実行可能な機械可読命令のプログラムを明白に具体化する信号保持媒体であって、前記動作は
第１の通信ネットワークにマルチネットワークＡＴを登録することと、
第１のネットワークへの登録に応答して、第１のネットワークを介して第２の通信ネットワークに対するアクセス情報を受信することと、
第１のネットワークを介して受信したアクセス情報に応答して、第２のネットワークを介してアクセスされるサービスを得ることとを含む、信号保持媒体。
【請求項３３】
マルチネットワーク無線通信アクセス端末（ＡＴ）において、マルチネットワークカバレッジにアクセスするためのプロセッサデバイスであって、
第１の通信ネットワークにＡＴを登録することと、第２の通信ネットワークに対する受信されたアクセス情報を受信することとのためのインタフェースを備えた第１の通信サブシステムモジュールと、
第１のサブシステムモジュールを介して受信される第２のネットワークのアクセス情報を用いて、第２のネットワークを介してアクセスされるサービスを得るためのインタフェースを有する第２の通信サブシステムモジュールとを含む、プロセッサデバイス。
【請求項３４】
無線通信マルチネットワークカバレッジを提供する通信ネットワークのアクセスポイントであって、
第２の通信ネットワークのアクセスポイント（ＡＰ）が第１の通信ネットワークのＡＰの存在を検出するため手段と、
第１のネットワークのＡＰを検出することに応答して第２のネットワークのＡＰがアクセス情報の放送を停止するための手段とを含む、アクセスポイント。
【請求項３５】
通信ネットワークアクセスポイント（ＡＰ）において、無線通信マルチネットワークカバレッジを提供するための動作を実行するためのディジタル処理装置によって実行可能な機械可読命令のプログラムを明白に具体化する信号保持媒体であって、前記動作が、
第２の通信ネットワークのＡＰが第１の通信ネットワークのＡＰの存在を検出することと、
第１のネットワークのＡＰの検出に応答して第２のネットワークのＡＰがアクセス情報の放送を停止することとを含む、信号保持媒体。
【請求項３６】
通信ネットワークアクセスポイント（ＡＰ）において、無線通信マルチネットワークカバレッジを提供するためのプロセッサであって、
第１の通信ネットワークのＡＰの検出を示す信号を受信するためのインタフェースを備えた第１の通信サブシステムのモジュールと、
第１のネットワークのＡＰの検出に応答して放送停止コマンドを提供するための配信モジュールと、
前記放送停止コマンドに応答して第２の通信ネットワークのアクセス情報の放送を停止する信号を出力するためのインタフェースを備えた第２の通信サブシステムとを含む、プロセッサ。
【発明の詳細な説明】
【技術分野】
【０００１】
本発明は、一般に、無線通信に関する。より詳細には第２のネットワークを介して受信される通信から得られる情報を用いて第１の無線通信ネットワークへアクセスするためのマルチネットワークのシステムおよび方法に関する。
【背景技術】
【０００２】
インタネット上のトラヒックは増加し続ける加入者数および新しいアプリケーションの導入により指数関数的に大きくなっている。広域無線ネットワークも急速な加入者数増加を経験しつつある。現在、ＩＥＥＥ８０２．１１ネットワークのような無線アクセスネットワーク上でのデータサービスを提供するために多くの努力が続けられている。しかし、これらの広帯域データサービスが用意されることは、特に無線アクセス端末（ＡＴ）が待機状態のまま長期間を経過する場合には、必ずしも効率的なバッテリー消費に役に立つわけではない。
【０００３】
１ｘＥＶ-ＤＯ符号分割多重アクセス（ＣＤＭＡ）無線電話ネットワークのような他の低帯域幅データレートのネットワークは、長い待機期間と速いページング応答時間をサポートすることによってページングサービス用に最適化される。これらのページングに最適化されたネットワークで動作するＡＴは電池電力消費を最小にする。
【０００４】
高データレートネットワークが拡大するに従い、上記のページング最適化されたネットワークとのネットワークカバレッジオーバラップがより多く起こっている。両形式のネットワークで同時に通信できるマルチモードＡＴが市場に入りつつある。マルチモードＡＴは、どちらの形式のネットワークにおいても通信できる便利さを有しているが、ＡＴが高データレートネットワークに「保留接続」するために用いられる場合、電池消費の問題が依然として存在する。
【０００５】
マルチネットワークＡＴがページング最適化ネットワークに保留接続し、データ通信が要求される時にのみ高データレートネットワークにアクセすることによって、シームレスにページング最適化ネットワークおよび高データレートネットワーク双方が提供する利点を利用することができれば、好都合であろう。
【０００６】
オーバラップしているネットワークが任意の監視中のマルチネットワークＡＴに対して高データレートネットワークのアクセス情報を提供するページング最適化ネットワークと協調できれば、好都合であろう。
【発明の概要】
【０００７】
上記の問題を解決するために、第１のネットワークに登録され、必要な時に、第２のネットワークにアクセスするために必要な情報を収集することができる無線通信マルチネットワークＡＴを説明する。すなわち、ＡＴは第２のネットワークに登録またはこれを監視することなく第２のネットワークのアクセス情報を得ることができる。同様に、第１のネットワークのアクセスポイント（ＡＰ）は、第２のネットワークのＡＰの存在を検出することによって協調し、第２のネットワークのＡＰにアクセスするために必要な情報を収集する。第１のネットワークのＡＰは第２のネットワークのアクセス情報を第１のネットワークを介して放送すること、または要求に応答して前記アクセス情報をＡＴへ提供することができる。
【０００８】
従って、マルチネットワーク無線通信ＡＴがマルチネットワークカバレッジにアクセスするための一方法が提供される。本方法は第１の通信ネットワークにマルチネットワークＡＴを登録する。第１のネットワークへの登録に応答して、ＡＴは第１のネットワークを介して第２の通信ネットワーク（例えば、ＩＥＥＥ８０２．２０、８０２．１６ｅ、または１ｘＥＶ-ＤＯネットワーク）へアクセスするために必要な情報を受信する。ＡＴは、第１のネットワークを介して受信されるアクセス情報に応答して、第２のネットワークを介してアクセスされるサービスを得る。第２のネットワークのアクセス情報は、例えばシステム情報、チャネル情報、またはアクセスポイントパラメータであるかもしれない。
【０００９】
第２のネットワークが第２のネットワークにアクセスできなくなる場合、ＡＴは第１のネットワークを介してアクセスされるサービスを得る選択肢を保持する。例えば、ＡＴは第２のネットワークのアクセス情報の受信に失敗するかもしれない。またはアクセス情報が古くなっているかもしれない。あるいは、ＡＴは第２のネットワーク無線カバレッジが不十分であるために、第２のネットワークサービスの受信に失敗するかもしれない。
【００１０】
第１のネットワークのＡＰが第２のネットワークのアクセス情報を放送しない場合、ＡＴは第２のネットワークの存在を検出するために定期的に第２のネットワーク帯域を監視するかもしれない。第２のネットワークが検出される場合、ＡＴは第１のネットワークのＡＰからのアクセス情報を要求する。
【００１１】
別の態様において、無線通信マルチネットワークカバレッジを提供するために一方法が通信ネットワークＡＰに提供される。この方法は第１の通信ネットワークのＡＰを設ける。第２の通信ネットワークのＡＰは第１のネットワークのＡＰの存在を検出し、第１のネットワークのＡＰの検出に応答してアクセス情報の放送を停止する。第１のネットワークのＡＰは第２のネットワークのＡＰの存在を検出し、第２ネットワークのＡＰの利用可能性を、情報を放送することにより、または要求に応答してＡＴへ情報を提供することにより公表する。
【００１２】
上述した方法、マルチネットワークカバレッジへアクセスするためのマルチネットワークＡＴ、およびマルチネットワークカバレッジを提供するためのシステムの付加的詳細が以下に提示される。
【図面の簡単な説明】
【００１３】
【図１】本発明の、マルチネットワークカバレッジにアクセスするためのシステムを備えたマルチネットワーク無線通信アクセス端末（ＡＴ）の概略ブロック図。
【図２】本発明の、マルチネットワークカバレッジにアクセスするためのプロセッサデバイスを備えたマルチネットワーク無線通信ＡＴを表わす概略ブロック図。
【図３】本発明の、マルチネットワークカバレッジにアクセスできるマルチネットワークＡＴを表すブロック図。
【図４】本発明の、無線通信マルチネットワークカバレッジを提供するためのシステムの概略ブロック図。
【図５】本発明の、無線通信マルチネットワークカバレッジを提供するためのプロセッサデバイスを備えた通信ネットワークアクセスポイント（ＡＰ）の概略ブロック図。
【図６】本発明の、無線通信マルチネットワークカバレッジを提供する通信ネットワークＡＰを表すブロック図。
【図７】本発明の、モバイルＩＰ（ＭＩＰ）アドレシングプロトコルスタックの一変形例を表す図。
【図８】本発明の、マルチネットワーク無線通信ＡＴにおけるマルチネットワークカバレッジにアクセスするための方法を示すフローチャート。
【図９】本発明の、通信ネットワークＡＰにおける無線通信マルチネットワークカバレッジを提供するための方法を表わすフローチャート。
【発明を実施するための形態】
【００１４】
図面を参照して種々の実施例について説明する。以下の記述においては、説明のため、１つ以上の態様の完全な理解を与えるために多くの特定的詳細を記載する。しかし、そのような（複数の）実施例が以下の特定的詳細なしで実施されるかもしれないことは明白であるかもしれない。他の場合には、これらの実施例の説明を容易にするために、周知の構造およびデバイスをブロック図の形式で示す。
【００１５】
用語「部品」、「モジュール」、「システム」等はこの出願で用いられると、計算機関連のエンティティ、ハードウェア、ファームウェア、ハードウェアとソフトウェアの組合せ、ソフトウェア、または実行用ソフトウェアのいずれかを参照するように意図されている。例えば、部品は非限定的に、プロセッサ上で走るプロセス、プロセッサ、オブジェクト、実行可能なもの、実行スレッド、プログラム、および／または計算機であるかもしれない。例示として、計算デバイス上で走るアプリケーションおよび計算デバイスの双方とも部品であるかもしれない。１つ以上の部品がプロセスおよび／または実行スレッド内にあるかもしれない。また部品は１つの計算機に局在、および／または２つ以上の計算機間に分散するかもしれない。さらに、これらの部品は格納された種々のデータ構造を有する種々の計算機可読媒体から実行できる。部品はローカルおよび／またはリモートプロセスによって、例えば１つ以上のデータパケット（例えばローカルシステム内、分散システム、および／または他のシステムを備えたインタネットのようなネットワークを跨って別の部品と交信している１つの部品からのデータ）を有する信号に従って通信するかもしれない。
【００１６】
多くの部品、モジュール等を含むかもしれないシステムに関して種々の実施例が示されるだろう。種々のシステムは追加の部品、モジュール等を含むかもしれないし、および／または、図面に関連して検討した部品、モジュール等のすべては含まないかもしれないことが理解されるべきである。これらの方法の組合せも用いられるかもしれない。
【００１７】
図１はマルチネットワークカバレッジにアクセスするためのシステムを備えたマルチネットワーク無線通信アクセス端末（ＡＴ）１００の概略ブロック図である。システム１０２は、第１の通信ネットワーク１０８にＡＴ１００を登録するためのアンテナ１０６で表される無線インタフェースを有する第１の通信サブシステム１０４を含む。第１のサブシステム１０４は周波数変換、復調／変調、およびベースバンド処理回路を備えた無線送受信機（図示しない）を通常含む。サブシステム１０４は第２の通信ネットワークに対して受信したアクセス情報を提供するためにライン１１０上にインタフェースを有する。例えば、第１のサブシステム１０４は１ｘＥＶ-ＤＯＣＤＭＡ、広域移動通信システム（ＧＳＭ）（登録商標）、またはユニバーサル移動通信システム（ＵＭＴＳ）のサブシステムであるかもしれない。第１のサブシステム１０４はいかなる特定の無線通信プロトコルにも限定されない。しかし、この例のために第１のサブシステムは通常大きなカバレッジを有するページング最適化ネットワークであると仮定する。
【００１８】
アクセスモジュール１１２は第１のサブシステム１０４からアクセス情報を受信するためにライン１１０上にインタフェースを有する。アクセスモジュール１１２は、受信アクセス情報を提供するためにライン１１４上にインタフェースを有する。第２の通信サブシステム１１６は第２のネットワーク１２０を介してアクセスされるサービスを得るために、アンテナ１１８で表される無線インタフェースを有する。第２のサブシステム１１６は第２のネットワーク１２０に登録し、サービスを受けるために、ライン１１４に接続されるインタフェースを介して受信されるアクセス情報のみを用いる。すなわち、第２のサブシステム１１６はいったん得た情報は、後で使用するために格納されるにも拘わらず、最初は予めメモリーに格納されたアクセス情報に頼らない。第２のサブシステム１１６はいかなる特定の通信プロトコルにも限定されないが、この例のために、第２のサブシステムはＩＥＥＥ８０８．２０またはＩＥＥＥ８０２．１６ｅに準拠するシステム、またはＤＯのような無線電話規格に準拠するシステムのような高データレートシステムであると仮定する。一般に、第２のネットワークは何らかの補助的情報を用いてＡＴによってアクセスされるだけができるネットワークである。すなわち、ＡＴは、ネットワーク登録処理に関与できる前に、何らかの制御チャネル情報を取得しなければならない。このプロセスは放送されるオーバヘッド情報の量を縮小し、アドホックネットワークの展開を可能にする。前と同様に、第２のサブシステム１１６は通常、周波数変換、復調／変調、およびベースバンド処理回路を備えた送受信機である。
【００１９】
一態様において、第１のサブシステム１０４は第２のネットワーク１２０に対するアクセス情報、例えばシステム情報、チャネル情報、およびアクセスポイントパラメータを受信する。システム情報は、ここで用いられると、多くのＡＰに共通であるかもしれない基本的システムアクセス情報、例えばＯＳＩモデルの物理層のモードおよびレイアウトを指す。例えば、直交周波数分割多重（ＯＦＤＭ）において、システム情報は巡回プレフィックスの長さ、ガード搬送波の数、およびインタレース構造を含むかもしれない。チャネル情報はＡＴによって用いられる特定のチャネルに対する情報を伝達する。例えばＯＦＤＭにおいて、チャネル情報は特定のチャネルに対するチャネルホッピング情報、制御チャネルタイミング、パイロット情報、およびアンテナ情報を含むかもしれない。アクセスポイントパラメータは特定のＡＰに対する情報を伝達する。例えば、ＡＰのパラメータはＡＰＩＤ、ＧＰＳ情報、および特定のＡＰに対する隣接を含むかもしれない。
【００２０】
第２のサブシステム１１６が第２のネットワーク１２０へのアクセスに失敗した場合、アクセス失敗通知をライン１１４でアクセスモジュール１１２へ送る。アクセスモジュール１１２は前記アクセス失敗通知の受信に応答してライン１１０で第１のサブシステムへアクセス取得コマンドを送る。次に、第１のサブシステム１０４は前記アクセス取得コマンドに応答して第１のネットワーク１０８を介してサービスにアクセスする。第１のネットワーク１０８が第２のネットワーク１２０を介して名目上利用可能なすべてのサービスを提供できるわけではないかもしれないこと、および第２のネットワークが第１のネットワークを介して利用可能なすべてのサービスを提供できるわけではないかもしれないことに注意。第２のサブシステム１１６も第２のネットワークに対するアクセス情報の受信に失敗した場合、第２のネットワーク１２０にアクセスできない（登録および／またはサービスを受ける）。例えば、第１のネットワーク１０８は第２のネットワークのアクセス情報を提供できないかもしれない。または情報が古くなっているかまたは正しくないかもしれない。第２のサブシステム１１６は第２のネットワークの無線カバレッジの受信に失敗するかもしれない。すなわち、第２のサブシステム１１６はブロックされるかもしれないし、または第２のネットワーク１２０内のＡＰと交信するには遠く離れすぎているかもしれない。
【００２１】
別の態様において、第２のサブシステム１１６が第２のネットワーク１２０の存在を検出し、検出通知をライン１１４でアクセスモジュール１１２へ送るかもしれない。例えば第２のサブシステム１１６は定期的に受信可能になるか、またはトリガーイベントに応答して受信可能になるかもしれない。アクセスモジュール１１２は前記検出通知の受信に応答してライン１１０で第１のサブシステム１０４へ要求コマンドを送る。次に、第１のサブシステム１０４は、前記要求コマンドに応答して第２のネットワーク１２０に対するアクセス情報を第１のネットワークのアクセスポイント（ＡＰ）１２２から要求する。第１のサブシステム１０４は要求に応答して第１のネットワークのＡＰ１２２からの第２のネットワーク１２０に対するアクセス情報を受信する。
【００２２】
ＡＴが第１のネットワークのＡＰ１２２から放送されるアクセス情報を受け損なった場合、または第１のネットワークのＡＰが第２のネットワークのアクセス情報を要求に応答して提供するだけの場合には、上記の検出メカニズムは有効である。一態様において、第２のサブシステム１１６は第２のネットワーク１２０内のＡＰ１２４に対する識別子（ＩＤ）を検出し、第１のサブシステム１０４は第２のネットワークのＡＰ１２４の識別子（ＩＤ）を要求に用いて第２のネットワーク１２０に対するアクセス情報を要求する。
【００２３】
別の態様において、第１のサブシステムの無線インタフェース１０６は第１のネットワークのＡＰ１２２からの第２のネットワークのページングメッセージを受信する。例えばアクセス情報がＡＴのメモリー１２６に格納されている場合、または第２のサブシステム１１６が停止モードで動作している場合、ＡＴ１００は第２のネットワークに対するアクセス情報を必要としないかもしれない。従って、ＡＴは第１のネットワークを介して第２のネットワークのページングを受信することにより電池の消費を最小にできる。このページングはＡＴ１００が都合の良いときに第２のネットワーク１２０に登録することを可能にする。通常はＡＴが移動デバイスであることを理解するべきである。したがって、ＡＴは、移動するに従い、第１および第２のネットワーク内の異なるＡＰを取得するかもしれない。さらに、１つのネットワーク（すなわち、第１のネットワーク）がより広いカバレッジエリアを有する場合、ＡＴは、たとえ第１のネットワーク内の異なるＡＰを取得する必要がなくとも第２のネットワーク内の異なるＡＰを取得するかもしれない。システム１０２の部品は論理的に異なるが、システムの現実の物理的実施において、これらの部品は同じハードウェアで動作可能にされるかもしれないことが理解されるべきである。例えば、２つのネットワーク１０８および１２０は双方共に異なる周波数で動作するＤＯネットワークであるかもしれない。その結果、サブシステム１０４および１１６をＡＴ内で同じ回路を用いて動作可能にすることができる。
【００２４】
図２はマルチネットワークカバレッジにアクセスするためのプロセッサデバイスを備えたマルチネットワーク無線通信ＡＴ１００を表わす概略ブロック図である。プロセッサデバイス１５０は、第１の通信ネットワークにＡＴ１００を登録するための、ライン１５４上にインタフェースを備えた第１の通信サブシステムモジュール１５２を含む。第１のサブシステムモジュール１５２は第２の通信ネットワークに対するアクセス情報を受信する。第２の通信サブシステムモジュール１５６は、第１のサブシステムモジュール１５２を介して受信する第２のネットワークのアクセス情報を用いて、第２のネットワークを介してアクセスされるサービスを得るためにライン１５８上にインタフェースを有する。いくつかの態様において、図２のプロセッサデバイスは図１のアクセスモジュールと同様である。
【００２５】
図３はマルチネットワークカバレッジにアクセスできるマルチネットワークＡＴを表すブロック図である。ＡＴ１００はマルチネットワークＡＴ１００を第１の通信ネットワーク１０８に登録するための手段１８０を含む。ＡＴ１００は第１のネットワークへの登録に応答して第１のネットワークを介して第２の通信ネットワークに対するアクセス情報を受信するための手段１８２を含む。さらに、ＡＴ１００は第１のネットワークを介して受信されるアクセス情報に応答して第２のネットワークを介してアクセスされるサービスを得るための手段１８４を含む。
【００２６】
図４は無線通信マルチネットワークカバレッジを提供するためのシステムの概略ブロック図である。システム２００は第２のアクセスポイント（ＡＰ）１２４を含む。第２のＡＰ１２４は第１の通信ネットワーク１０８で動作中の第１のＡＰ１２２の存在を検出するための、アンテナ２０４で表される無線インタフェースを備えた第１の通信サブシステム２０２を含む。第１サブシステム２０２は検出情報を出力するためのライン２０６上にインタフェースを有する。第１のサブシステム２０２は周波数変換、復調／変調、およびベースバンド処理回路を備えた無線送受信機（図示しない）を通常含む。例えば、第１のサブシステム２０２は１ｘＣＤＭＡ、ＧＳＭ、またはＵＭＴＳの基地局であるかもしれない。第１のサブシステム２０２はいかなる特定の無線通信プロトコルにも限定されない。しかし、この例のために第１のサブシステムは通常大きな地域をカバーするページング最適化ネットワークであると仮定する。一態様において、第２のＡＰ１２４は第１のサブシステム２０２を用いることなく第１のＡＰを検出できる。この場合第２のＡＰ１２４は第２のサブシステム（以下に記述）のみを備えるかもしれない。
【００２７】
配信モジュール２０８は検出情報を受信するためのライン２０６上のインタフェース、および放送停止コマンドを出力するためのライン２１０上のインタフェースを有する。第２の通信サブシステム２１２はアンテナ２１４で表される無線インタフェースを有する。この無線インタフェースはライン２１０上の配信モジュール２０８に接続されたインタフェースを介した放送停止コマンドの受信に応答して第２の通信ネットワークのアクセス情報の放送を停止する。第２のサブシステム２１２はいかなる特定の通信プロトコルにも限定されないが、この例のために、第２のサブシステムはＩＥＥＥ８０８．２０またはＩＥＥＥ８０２．１６ｅに準拠するシステム、またはＤＯのような他の無線規格に準拠するシステムのような高データレートシステムであると仮定する。前と同様に、第２のサブシステム２１２は通常、周波数変換、復調／変調、およびベースバンド処理回路を備えた送受信機である。第２のＡＰ１２４は、第１および第２のネットワーク双方において通信できるように第１および第２のサブシステムの双方を含むかもしれないが、本解析のために第２のＡＰ１２４は主として第２のネットワークに関連していると仮定する。すなわち、第２のＡＰ１２４は第２のネットワーク１２０のＡＰと呼ばれるかもしれない。
【００２８】
同様に第１のＡＰ１２２は、第１のネットワークにおいて第２のネットワークのアクセス情報を提供するための、アンテナ２１８によって表される無線インタフェースを備えた第１の通信サブシステム２１６を含む。アクセス情報はシステム情報、チャネル情報、またはアクセスポイントパラメータであるかもしれない。第１のＡＰ１２２は第２の通信ネットワークサブシステム２２０および無線インタフェース２２２を用いて第２のＡＰ１２４の存在を検出する。あるいは、第１のＡＰ１２２は第２のサブシステムを有しないが、図示しない他の無線、または、有線通信チャネル（例えば、ＬＡＮ）により検出情報を受信するかもしれない。次に、第１のＡＰ１２２は第１のサブシステム２１６を介して第２のＡＰ１２４の取得可能性を公表する。第１のＡＰ１２２は、第１および第２のネットワーク双方において通信できるように第１および第２のサブシステムの双方を含むかもしれないが、本解析のために第１のＡＰ１２２は主として第１のネットワーク１０８に関連していると仮定する。すなわち、第１のＡＰ１２２は第１のネットワークのＡＰと呼ばれるかもしれない。
【００２９】
一態様において、第２のＡＰ１２４は第２のネットワークのアクセス情報を第１のＡＰに提供する。アクセス情報は、第１のネットワーク１０８、第２のネットワーク１２０を介して、または有線接続（図示しない）を通じてＡＰ間を伝達され得る。一態様において、第１のＡＰ１２２は、第１のサブシステムの無線インタフェース２１８を介して第２のＡＰ１２４によって提供されるアクセス情報を放送する。別の態様において、第１のＡＰ１２２は第２のＡＰ１２４の存在、例えばＡＰ１２４の識別子を放送するだけである。ＡＴ１００は、第１のサブシステムの無線インタフェース２１８を介してＡＰ１２２へアクセスすることにより、ＡＰ１２４の更なるアクセス情報を要求するかもしれない。さらに別の態様において、ＡＰ１２４はＡＴ１００がＡＰ１２２へアクセスするとき、ＡＴ１００がＡＰ１２４に関する情報の要求において用いる識別子を放送する。この態様において、ＡＰ１２２はＡＴ１００がＡＰ１２４に関する情報を要求するためにＡＰ１２２ヘアクセスしていることを知っているかもしれないし、知らないかもしれない。またＡＰ１２４の存在さえ知らないかもしれない。例えば、ＡＴ１００はＡＰ１２４によって放送される識別子を用いてＡＰ１２４にアクセスするためにレイヤー２トンネリングプロトコル（Ｌ２ＴＰ）を用いるかもしれない。またＡＰ１２４は第１のＡＰ１２２を介して第２のネットワークのアクセス情報をＡＴ１００へ、同じＬ２ＴＰを用いてカプセル化した１つのメッセージとして提供するかもしれない。この場合、そのメッセージはＡＰ１２２へのＩＰパケットフローとして現れる。別の態様において、ＡＴ１００はアクセス情報を取得するためにＡＰ１２２との特定のレイヤー２シグナリングを用いるかもしれない。
【００３０】
アクセス情報とは別に、第１のＡＰ１２２は第１のサブシステムの無線インタフェース２１８を介してページングメッセージを放送するかもしれない。このように、第２のＡＰ１２４は、ページングメッセージに応答して第２のサブシステムの無線インタフェース２１４を介してＡＴ１００を登録できる。
【００３１】
図５は無線通信マルチネットワークカバレッジを提供するためのプロセッサデバイスを備えた通信ネットワークアクセスポイント（ＡＰ）１２４の概略ブロック図である。プロセッサデバイス４００は、第１の通信ネットワークのＡＰ（図示しない、図４の第１のＡＴ１２２を見よ）の検出を示す信号を受信するための、ライン４０４上のインタフェースを備えた第１の通信サブシステムモジュール４０２を含む。
【００３２】
配信モジュール４０６はライン４１０上の第１のサブシステムモジュール４０２からの信号として受信する第１のネットワークのＡＰの検出に応答してライン４０８で放送停止コマンドを出力する。第２の通信サブシステムモジュール４１２はライン４１４上のインタフェースを有する。このインタフェースはライン４０８で受信する放送停止コマンドに応答して第２の通信ネットワークのアクセス情報の放送を停止する信号を出力する。いくつかの態様において、プロセッサデバイス４００は図４に示す配信モジュールと同様である。
【００３３】
図６は無線通信マルチネットワークカバレッジを提供する通信ネットワークＡＰを表すブロック図である。このＡＰ（すなわち、図４の第２のＡＰ１２４）は第２の通信ネットワークのＡＰが第１の通信ネットワークのＡＰの存在を検出するための手段４５０を含む。前記ＡＰは第２のネットワークのＡＰが第１のネットワークのＡＰの検出に応答してアクセス情報の放送を停止するための手段４５２をさらに含む。
【００３４】
機能的説明
図１から図６に記載した本発明はページングおよびオーバヘッドチャネルを効率的に管理するために用いることができる。第１のネットワークが存在する場合、第２のネットワークはページングチャネルまたはオーバヘッドメッセージを放送しないかもしれない。ＡＴは第２のネットワークに関する情報のために第１のネットワークを受信するだけである。第２のネットワークはＡＴの能力と方針に基づいて、このページングモードをサポートするように構成される。すなわち、ＡＴは第１のネットワークでページングされていることを「知っている」が、第２のネットワークでアクセスが来ることを予想する。さらに、第１のネットワークが存在する場合、第２のネットワークはページングおよびアクセス情報を放送する必要がない。
【００３５】
代わりに、ＡＴは第２のページングおよびアクセス情報を受信するために第１のネットワークに明確に登録するかもしれない。この動作モードは、第２のネットワークのみがＡＴのページングに利用可能な場合に実行されるよりもより効率的なページングのバージョンをもたらす。
【００３６】
フォールバックとして、ＡＴが第２のネットワークのアクセス情報の受信に失敗する場合、または第２のネットワークのカバレッジエリア内にない場合、ＡＴはサービスのために依然として第１のネットワークにアクセスするかもしれない。第１のネットワークは登録を第２のネットワークに通知するかもしれない。異なる一態様において、ＡＴは第１のネットワークおよび第２のネットワークに別々に登録する。ここで第２のネットワークにおける登録は第１のネットワークを通じてページングを送るための表示を含む。例えば、ＡＴは、第１のネットワークにおける経路設定を介して達することができるＩＰアドレスまたは同様な識別子であって、それらを通じて第２のネットワークがページングパケットをアドレス指定できるＩＰアドレスまたは同様な識別子を提供するかもしれない。第１のネットワークは第１のネットワークでＡＴをページングすることにより第２のネットワークから受信された任意のパケットを送付する。第１のネットワークはパケットの目的が明らかに第２のネットワークでＡＴをページングするためのものであることを知らないかもしれない。
【００３７】
第１のネットワークが存在する場合、最小限のオーバヘッドメッセージ（すなわち、ページングおよびアクセス情報）が第２のネットワーク制御チャネルで放送される必要がある。この縮小したオーバヘッドは隣接ＡＰからの制御チャネル干渉を最小にする。第２のネットワークのＡＰを識別できるための十分な情報のみ、およびアクセスに必要なダイナミックパラメータが放送される必要がある。隣接リスト、動作モード、電力制御情報等は第２のネットワークのＡＰのユニキャストアクセスを介して、または第１のネットワークを介してのみ利用可能であるかもしれない。ＡＴはページングを受信する前に第２のネットワークに対するアクセスパラメータを知るために第１のネットワークにアクセスするかもしれない。ページングの際、ＡＴはカバレッジによって第１または第２のネットワークのいずれかに直ちにアクセスできる。
【００３８】
複数の技術が互いに交信しなければならない場合、シグナリングが問題となる。ネットワークにおいて発生する無線アクセス技術（ＲＡＴ）のためのシグナリングは２つの方法で管理されるかもしれない。第１のＲＡＴは第２のＲＡＴを介してシグナリングメッセージを、メッセージをカプセル化するためにトンネル、例えばレイヤー２シグナリングのためのＬ２ＴＰ（ＲＦＣ３９３１）を用いて送るかもしれない。モバイルＩＰが用いられる場合、メッセージはシグナリングをＩＰパケットとして転送するホームエージェント（ＨＡ）に到着するかもしれない。あるいはまた、第１のＲＡＴが知っているＡＴのＩＰ、または何らかの同等なグローバルアドレス、はパケットの送信先アドレスとして用いることができる。一態様において、ＲＡＴに対するシグナリングはＡＴがその特定のＲＡＴネットワークにアクセスする時に送られるだけである。異なる一態様において、ＡＴで発生する別のＲＡＴを介したレイヤー２シグナリングが用いられるかもしれない。例えば、ＡＴは、ＷｉＦｉ（第２のネットワーク）アクセスポイントと対話するためにＤＯ（第１の）ネットワーク上でＬ２ＴＰを送るかもしれない。
【００３９】
２つのネットワークの間の一般的網間接続は、第２のネットワークが第１のネットワークの存在を検出し、どのオーバヘッドおよびページング機能の実行を続けるかを決定することを必要とする。同様に、第１のネットワークは第２のネットワークの存在を公表するように構成される。第１のネットワークは第２のネットワークとの負荷平衡および効率的ハンドオフも実行するかもしれない。
【００４０】
図１から図６に記載した本システムはＡＴが相補的強さを有する異なるネットワークにおいて通信できるネットワーク配置をサポートするように整えられるかもしれない。例えば、ＡＴは、冗長のために複数のＲＡＴ上で同時にデータを受信するために、多くのネットワークに対応するＨＡに登録されるかもしれない。あるいは、ＡＴはページングのために１つのネットワーク（例えばセルラネットワーク）を、およびパケット転送のために異なる１つのネットワーク（例えば無線ＬＡＮ）を用いるかもしれない。一態様において、ＨＡは予め定めた方針を用いてネットワークの使用を管理する。異なる一態様において、ＡＴはネットワークの使用を管理し、ＨＡデバイスを構成するためにメッセージ通信を用いる。さらに、ＨＡはＡＴから受信したデータトラヒックに基づいて、どこで、どのようにパケットが送られたかを動的に更新するように構成されるかもしれない。例えば、第１のネットワークを通じたページングはＨＡにおいて受信されるデータパケットの結果として発生するかもしれない。
【００４１】
ＡＴはページングのために第１のネットワークだけを聴取するように構成されるかもしれない。ページングが受信されると、ＡＴはページングに使われたネットワークにアクセス、または別のネットワークにアクセス、または（冗長のために）同時に複数のネットワークにアクセスするかもしれない。ＨＡはＡＴの能力と方針に基づいて、アクセスの各モードをサポートするように異なる構成にされるかもしれない。
【００４２】
ハンドオフに関して、ＨＡはパケットを複数のＲＡＴネットワークに転送するように構成されるかもしれない。マルチネットワークＡＴはハンドオフの間、２つのＲＡＴネットワークから同時にダウンロードするかもしれない。一旦双方のネットワークから同じパケットを受信すると、ＡＴは送信先ネットワークへ切り換えるかもしれない。またはデータストリーム内のＨＡからのメッセージを受信すると切り換えるかもしれない。
【００４３】
図７はモバイルＩＰ（ＭＩＰ）アドレシングプロトコルスタックの一変形例を表す図である。この図において、モバイルノード（ＭＮ）はＡＰに位置している。ＭＩＰのトンネルはＨＡと第１のネットワークのＡＰ（ＭＮ）の間に生成される。明確に示していないが、第２のネットワークは第２のネットワークのＭＡＣ／ＰＨＹアクセスレイヤーを用いるＡＴを含む同等のプロトコルスタックを有する。
【００４４】
図８はマルチネットワーク無線通信ＡＴ内のマルチネットワークカバレッジにアクセスするための方法を示すフローチャートである。本方法は明確さのために番号付のステップの系列として示しているが、付番は必ずしもステップの順序を指示しない。これらのステップのいくつかは省かれるか、並行に実施されるか、または厳密に順序を保持する必要無しに実行されるかもしれないことが理解されるべきである。方法はステップ５００で始まる。
【００４５】
ステップ５０２は第１の通信ネットワークにマルチネットワークＡＴを登録する。ステップ５０４は、第１のネットワークへの登録に応答して第２の通信ネットワークへアクセスするために必要な情報を第１のネットワークを介して受信する。アクセス情報は、システム情報、チャネル情報、またはアクセスポイントパラメータであるかもしれない。ステップ５０６は、第１のネットワークを介して受信される前記アクセス情報に応答して第２のネットワークを介してアクセスされるサービスを得る。
【００４６】
一態様において、ステップ５０８は第２のネットワークへのアクセスに失敗する。次に、ステップ５１０において、ＡＴは第２のネットワークにアクセスしないことに応答して第１のネットワークを介してアクセスされるサービスを得る。例えば、ＡＴは、第２のネットワークに対するアクセス情報の受信に失敗した結果として、または（適切な）第２のネットワーク無線カバレッジの受信に失敗した結果として、ステップ５０８において第２のネットワークへのアクセスに失敗するかもしれない。
【００４７】
一態様において、ＡＴ（ステップ５０３ａ）は第２のネットワークの存在を検出する。ステップ５０３ｂにおいて、ＡＴは第１のネットワークのＡＰ（図４の第１のＡＰ１２２を見よ）から第２のネットワークに対するアクセス情報を要求する。したがって、ステップ５０４における第２のネットワークに対するアクセス情報を受信することは、ＡＴが要求に応答して第１のネットワークのＡＰから第２のネットワークのアクセス情報を受信することを含む。例えば、ステップ５０３ａにおいて、ＡＴは第２のネットワーク内のＡＰ（図４の第２のＡＰ１２４）の識別子を検出するかもしれない。したがって、ステップ５０３ｂにおける第２のネットワークに対するアクセス情報を要求することは、ＡＴが要求において第２のネットワークのＡＰ識別子を用いることを含む。
【００４８】
別の態様において、ＡＴはステップ５１２において第１のネットワークを介して第２のネットワークページングメッセージを受信する。ステップ５１４において、ＡＴはページングメッセージの受信に応答して第２のネットワークにアクセスする。
【００４９】
あるいは、図８のフローチャートは、マルチネットワーク無線通信ＡＴにおいてマルチネットワークカバレッジにアクセスするための動作を実行するためのディジタル処理装置によって実行可能な機械可読命令のプログラムを明白に具体化する信号保持媒体を表わすと理解されるかもしれない。
【００５０】
図９は通信ネットワークＡＰ内の無線通信マルチネットワークカバレッジを提供するための方法を表わすフローチャートである。本方法はステップ６００で始まる。ステップ６０２は第１の通信ネットワークのＡＰを設ける。ステップ６０４において、第２の通信ネットワークのＡＰは第１のネットワークのＡＰの存在を検出する。ステップ６０６において、第２のネットワークのＡＰは第１のネットワークのＡＰの検出に応答してアクセス情報の放送を停止する。ステップ６０８において、第１のネットワークのＡＰは第２のネットワークのアクセス情報、例えばシステム情報、チャネル情報、およびアクセスポイントパラメータを提供する。
【００５１】
一態様において、ステップ６０８における第２のネットワークのアクセス情報を提供することは、複数のサブステップを含む。ステップ６０８ａにおいて、第１のネットワークのＡＰは第２のネットワークのＡＰの存在を検出する。ステップ６０８ｂにおいて、第１のネットワークのＡＰは第２のネットワークのＡＰの利用可能性を公表する。
【００５２】
一態様において、ステップ６０３において第２のネットワークのＡＰは第２のネットワークのアクセス情報を第１のネットワークのＡＰに提供する。例えば、第２のネットワークのＡＰはレイヤー２シグナリング用にカプセル化したメッセージを第１のネットワークのＡＰに送る。次に、ステップ６０８において、第１のネットワークのＡＰは第２のネットワークのＡＰによって提供されたアクセス情報を提供する。別の態様において、ステップ６０７ｂにおいて第１のネットワークのＡＰはＡＴからの第２のネットワークのアクセス情報に対する要求を受信する。次に、ステップ６０８において、第１のネットワークのＡＰは前記要求に応答して第２のネットワークのアクセス情報を提供する。異なる一態様において、ステップ６０７ａにおいて第２のネットワークのＡＰはＡＰ識別子を放送し、ステップ６０７ｂにおいて第１のネットワークのＡＰはＡＰ識別子で参照される第２のネットワークのＡＰに対するアクセス情報に関する要求を受信する。
【００５３】
別の態様において、第１のネットワークのＡＰはステップ６１０において第２のネットワークのＡＰに対するページングメッセージを放送する。ステップ６１２においてＡＴはページングメッセージの受信に応答して第２のネットワークのＡＰに登録する。
【００５４】
あるいは、図９は通信ネットワークＡＰにおいて無線通信マルチネットワークカバレッジを提供するための動作を実行するためのディジタル処理装置によって実行可能な機械可読命令のプログラムを明白に具体化する信号保持媒体を表わすと見なされるかもしれない。
【００５５】
マルチネットワークカバレッジにアクセスするためのシステムと方法がＡＴに提供された。本発明はＡＴが、電池の消費および制御チャネル通信を最小にしながら、マルチネットワークカバレッジに関連するすべてのサービスを享受することを可能にする。本発明に関する特定の通信シーケンスおよび使用の例を例示として提供した。しかし、本発明は単にこれらの実施例に限定されない。当業者は本発明の他の変形例および実施例に気がつくだろう。
【図１】
2014140191.tif 000003
【図２】
2014140191.tif 000004
【図３】
2014140191.tif 000005
【図４】
2014140191.tif 000006
【図５】
2014140191.tif 000007
【図６】
2014140191.tif 000008
【図７】
2014140191.tif 000009
【図８】
2014140191.tif 000010
【図９】
2014140191.tif 000011
【手続補正書】
【提出日】平成26年3月25日(2014.3.25)
【手続補正１】
【補正対象書類名】特許請求の範囲
【補正対象項目名】全文
【補正方法】変更
【補正の内容】
【特許請求の範囲】
【請求項１】
第１の通信ネットワークにマルチネットワークＡＴ（アクセス端末）を登録することと、
前記第１の通信ネットワークへの登録に応答して、第２の通信ネットワークにアクセスするために必要なアクセス情報を第１の通信ネットワークを介して受信することと、
前記第１の通信ネットワークを介して受信されるアクセス情報に基づいて、前記第１の通信ネットワークから独立した前記第２の通信ネットワークを介してアクセスされるサービスを得ることとを含む、
マルチネットワークカバレッジにアクセスするための方法。
【請求項２】
前記第２の通信ネットワークに対する前記アクセス情報を受信することが、システム情報、チャネル情報、およびアクセスポイントパラメータから成るグループから選択されるアクセス情報を受信することを含む請求項１に記載の方法。
【請求項３】
前記第２の通信ネットワークへのアクセスに失敗することと、
前記第２の通信ネットワークへアクセスしないことに応答して、前記第１の通信ネットワークを介してアクセスされるサービスを得ることとをさらに含む、請求項１の方法。
【請求項４】
前記第２の通信ネットワークへのアクセスに失敗することが、前記第２の通信ネットワークに対するアクセス情報の受信に失敗することと、第２の通信ネットワーク無線カバレッジの受信に失敗することとから成るグループから選択される１つの動作に応答して、前記第２の通信ネットワークにアクセスすることに失敗することを含む請求項３に記載の方法。
【請求項５】
前記第２の通信ネットワークの存在を検出することと、
第１の通信ネットワークのアクセスポイント（ＡＰ）から前記第２の通信ネットワークに対する前記アクセス情報を要求することと、をさらに含み、
前記第２の通信ネットワークに対する前記アクセス情報を受信することが、ＡＴが前記要求に基づいて前記第１の通信ネットワークのＡＰから前記アクセス情報を受信することを含む、請求項１に記載の方法。
【請求項６】
前記第２の通信ネットワークの存在を検出することが、前記第２の通信ネットワーク内のＡＰに対する識別子を検出することを含み、かつ
前記第２の通信ネットワークに対する前記アクセス情報を要求することが、要求において前記第２の通信ネットワークのＡＰ識別子を用いることを含む、請求項５に記載の方法。
【請求項７】
第１の通信ネットワークにマルチネットワークＡＴ（アクセス端末）を登録することと、
前記第１の通信ネットワークを介して第２の通信ネットワークからページングメッセージを受信することと、
前記ページングメッセージの受信に基づいて前記第１の通信ネットワークから独立した前記第２の通信ネットワークにアクセスすることと、
を含む、
マルチネットワークカバレッジにアクセスするための方法。
【請求項８】
アンテナと、
第１の通信ネットワークにＡＴ（アクセス端末）を登録するための無線インタフェースと第２の通信ネットワークに対して前記アンテナを介して受信されるアクセス情報を提供するためのインタフェースとを有する第１の通信サブシステムと、
前記第１の通信ネットワークから独立した前記第２の通信ネットワークを介してアクセスされるサービスを得るための無線インタフェースを備えた第２の通信サブシステムであって、前記第２の通信ネットワークはアクセスモジュールに接続されたインタフェースを介して受信される前記アクセス情報を用いて前記第２の通信サブシステムによってアクセスされる、通信サブシステムと
を含む、マルチネットワークカバレッジにアクセスするためのアクセス端末（ＡＴ）。
【請求項９】
マルチネットワークカバレッジにアクセスするための装置であって、
第１の通信ネットワークに前記装置を登録することと、第２の通信ネットワークに対するアクセス情報を受信することとのためのインタフェースを備えた第１の通信サブシステムモジュールと、
前記第１の通信ネットワークから独立した前記第２の通信ネットワークを介してアクセスされるサービスを得るためのインタフェースを有する第２の通信サブシステムモジュールとを含み、
前記第２の通信サブシステムモジュールは、前記第１の通信サブシステムモジュールを介して受信された前記アクセス情報を用いてサービスを得る、
装置。
【請求項１０】
第１のサブシステムが、システム情報、チャネル情報、およびアクセスポイントパラメータから成るグループから選択される前記第２の通信ネットワークに対するアクセス情報を受信する、請求項９に記載の装置。
【請求項１１】
前記第１の通信サブシステムから前記アクセス情報を受信するためのインタフェースおよび前記第２の通信サブシステムへ前記受信されたアクセス情報を提供するためのインタフェースを有するアクセスモジュールをさらに含む、請求項９に記載の装置。
【請求項１２】
前記第２の通信サブシステムが、前記第２の通信ネットワークへのアクセスに失敗し、前記第２の通信サブシステムが前記アクセスモジュールへアクセス失敗通知を送り、
前記アクセスモジュールが、前記アクセス失敗通知の受信に基づいてアクセス取得コマンドを前記第１の通信サブシステムに送るように構成され、
前記第１の通信サブシステムが、前記アクセス取得コマンドに基づいて前記第１の通信ネットワークを介してサービスにアクセスする、請求項１１に記載の装置。
【請求項１３】
前記第２の通信サブシステムは、
前記第２の通信ネットワークに対するアクセス情報の受信に失敗することと、第２の通信ネットワーク無線カバレッジの受信に失敗することとから成るグループから選択される１つの動作に基づいて前記第２の通信ネットワークへのアクセスに失敗する、請求項１２に記載の装置。
【請求項１４】
前記第２の通信サブシステムが、前記第２の通信ネットワークの存在を検出し、検出通知を前記アクセスモジュールに送り、
前記アクセスモジュールが、前記検出通知の受信に応答して要求コマンドを前記第１の通信サブシステムに送り、かつ
前記第１の通信サブシステムが、前記要求コマンドに応答して第１の通信ネットワークのアクセスポイント（ＡＰ）から前記第２の通信ネットワークに対するアクセス情報を要求し、前記要求に応答して前記第１の通信ネットワークのＡＰから前記第２の通信ネットワークに対するアクセス情報を受信する、請求項１１に記載の装置。
【請求項１５】
前記第２の通信サブシステムが、前記第２の通信ネットワークのＡＰに対する識別子を検出し、かつ
前記第１の通信サブシステムが、要求において前記第２の通信ネットワークのＡＰ識別子を用いて前記第２の通信ネットワークに対するアクセス情報を要求する、請求項１４に記載の装置。
【請求項１６】
第１の通信ネットワークに装置を登録すること、および前記第１の通信ネットワークを介して第２の通信ネットワークからページングメッセージを受信することのためのインタフェースを備えた第１の通信サブシステムモジュールと、
ページングメッセージを受信することに基づいて、前記第１の通信ネットワークから独立した前記第２の通信ネットワークにアクセスするためのインタフェースを備えた第２の通信サブシステムモジュールと
を含む、
マルチネットワークカバレッジにアクセスするための装置。
【請求項１７】
マルチネットワークカバレッジにアクセス可能な装置であって、
第１の通信ネットワークに前記装置を登録するための手段と、
前記第１の通信ネットワークへの登録に基づいて、前記第１の通信ネットワークを介して第２の通信ネットワークに対するアクセス情報を受信するための手段と、
前記第１の通信ネットワークを介して受信した前記アクセス情報に基づいて、前記第１の通信ネットワークから独立した前記第２の通信ネットワークを介してアクセスされるサービスを得るための手段と
を含む装置。
【請求項１８】
マルチネットワークカバレッジにアクセスするための動作を実行するために実行可能な機械可読命令のコンピュータプログラムで符号化されたコンピュータ可読媒体であって、前記動作は
第１の通信ネットワークにマルチネットワークＡＴ（アクセス端末）を登録することと、
前記第１の通信ネットワークへの登録に応答して、前記第１の通信ネットワークを介して第２の通信ネットワークに対するアクセス情報を受信することと、
前記第１の通信ネットワークを介して受信した前記アクセス情報に基づいて、前記第１の通信ネットワークから独立した第２の通信ネットワークを介してアクセスされるサービスを得ることとを含む、コンピュータ可読媒体。
【手続補正２】
【補正対象書類名】明細書
【補正対象項目名】０００３
【補正方法】変更
【補正の内容】
【０００３】
符号分割多重アクセス（ＣＤＭＡ）無線電話ネットワークのような他の低帯域幅データレートのネットワークは、長い待機期間と速いページング応答時間をサポートすることによってページングサービス用に最適化される。これらのページングに最適化されたネットワークで動作するＡＴは電池電力消費を最小にする。
【手続補正３】
【補正対象書類名】明細書
【補正対象項目名】００１７
【補正方法】変更
【補正の内容】
【００１７】
図１はマルチネットワークカバレッジにアクセスするためのシステムを備えたマルチネットワーク無線通信アクセス端末（ＡＴ）１００の概略ブロック図である。システム１０２は、第１の通信ネットワーク１０８にＡＴ１００を登録するためのアンテナ１０６で表される無線インタフェースを有する第１の通信サブシステム１０４を含む。第１のサブシステム１０４は周波数変換、復調／変調、およびベースバンド処理回路を備えた無線送受信機（図示しない）を通常含む。サブシステム１０４は第２の通信ネットワークに対して受信したアクセス情報を提供するためにライン１１０上にインタフェースを有する。例えば、第１のサブシステム１０４はＣＤＭＡ、広域移動通信システム（ＧＳＭ）（登録商標）、またはユニバーサル移動通信システム（ＵＭＴＳ）のサブシステムであるかもしれない。第１のサブシステム１０４はいかなる特定の無線通信プロトコルにも限定されない。しかし、この例のために第１のサブシステムは通常大きなカバレッジを有するページング最適化ネットワークであると仮定する。
【手続補正４】
【補正対象書類名】明細書
【補正対象項目名】００５５
【補正方法】変更
【補正の内容】
【００５５】
マルチネットワークカバレッジにアクセスするためのシステムと方法がＡＴに提供された。本発明はＡＴが、電池の消費および制御チャネル通信を最小にしながら、マルチネットワークカバレッジに関連するすべてのサービスを享受することを可能にする。本発明に関する特定の通信シーケンスおよび使用の例を例示として提供した。しかし、本発明は単にこれらの実施例に限定されない。当業者は本発明の他の変形例および実施例に気がつくだろう。
以下に本願出願当初の特許請求の範囲を付記する。
[Ｃ１]  マルチネットワーク無線通信アクセス端末（ＡＴ）において、
第１の通信ネットワークにマルチネットワークＡＴを登録することと、
第１のネットワークへの登録に応答して、第２の通信ネットワークにアクセスするために必要な情報を第１のネットワークを介して受信することと、
第１のネットワークを介して受信されるアクセス情報に応答して、第２のネットワークを介してアクセスされるサービスを得ることとを含む、マルチネットワークカバレッジにアクセスするための方法。
[Ｃ２]  第２の通信ネットワークに対するアクセス情報を受信することが、システム情報、チャネル情報、およびアクセスポイントパラメータから成るグループから選択されるアクセス情報を受信することを含むＣ１に記載の方法。
[Ｃ３]  第２のネットワークへのアクセスに失敗することと、
第２のネットワークへアクセスしないことに応答して、第１のネットワークを介してアクセスされるサービスを得ることとをさらに含む、Ｃ１の方法。
[Ｃ４]  第２のネットワークへのアクセスに失敗することが、第２のネットワークに対するアクセス情報の受信に失敗することと、第２のネットワーク無線カバレッジの受信に失敗することとから成るグループから選択される１つの動作に応答して、第２のネットワークにアクセスすることに失敗することを含むＣ３に記載の方法。
[Ｃ５]  ＡＴが第２のネットワークの存在を検出することと、
ＡＴが第１のネットワークのアクセスポイント（ＡＰ）から第２のネットワークに対するアクセス情報を要求することとをさらに含み、
第２のネットワークに対するアクセス情報を受信することが、ＡＴが前記要求に応答して第１のネットワークのＡＰから第２のネットワークのアクセス情報を受信することを含む、Ｃ１に記載の方法。
[Ｃ６]  ＡＴが第２のネットワークの存在を検出することが、ＡＴが第２のネットワーク内のＡＰに対する識別子を検出することを含み、かつ
ＡＴが第２のネットワークに対するアクセス情報を要求することが、ＡＴが要求において第２のネットワークのＡＰ識別子を用いることを含む、Ｃ５に記載の方法。
[Ｃ７]  第１のネットワークを介して第２のネットワークページングメッセージを受信することと、
前記ページングメッセージの受信に応答して第２のネットワークにアクセスすることとをさらに含む、Ｃ１に記載の方法。
[Ｃ８]  通信ネットワークのアクセスポイント（ＡＰ）において、
第１の通信ネットワークのＡＰを設けることと、
第２の通信ネットワークのＡＰが第１のネットワークのＡＰの存在を検出することと、
第２のネットワークのＡＰが第１のネットワークのＡＰの検出に応答してアクセス情報の放送を停止することとを含む、無線通信マルチネットワークカバレッジを提供するための方法。
[Ｃ９]  第１のネットワークのＡＰがシステム情報、チャネル情報、およびアクセスポイントパラメータから成るグループから選択される第２のネットワークのアクセス情報を提供することをさらに含む、Ｃ８に記載の方法。
[Ｃ１０]  第２のネットワークのＡＰが第２のネットワークのアクセス情報を第１のネットワークのＡＰに提供することをさらに含み、
第１のネットワークのＡＰが第２のネットワークのアクセス情報を提供することが、第１のネットワークのＡＰが第２のネットワークのＡＰによって提供されるアクセス情報を提供することを含む、Ｃ９に記載の方法。
[Ｃ１１]  第１のネットワークのＡＰがアクセス端末（ＡＴ）から第２のネットワークのアクセス情報に関する要求を受信することをさらに含み、
第１のネットワークのＡＰが第２のネットワークのアクセス情報を提供することが、第１のネットワークのＡＰが要求に応答して第２のネットワークのアクセス情報を提供することを含む、Ｃ９に記載の方法。
[Ｃ１２]  第２のネットワークのＡＰがＡＰ識別子を放送することをさらに含み、
ＡＴから第２のネットワークのアクセス情報の要求を受信することが、第１のネットワークのＡＰがＡＰ識別子により参照される第２のネットワークのＡＰに対するアクセス情報の要求を受信することを含む、Ｃ１１に記載の方法。
[Ｃ１３]  第２のネットワークのＡＰが第２のネットワークのアクセス情報を第１のネットワークのＡＰに提供することが、第２のネットワークのＡＰが第１のネットワークのＡＰへレイヤー２シグナリング用にカプセル化されたメッセージを送ることを含む、Ｃ１０に記載の方法。
[Ｃ１４]  第１のネットワークのＡＰが第２のネットワークのＡＰに対するページングメッセージを放送することと、
ＡＴがページングメッセージの受信に応答して第２のネットワークのＡＰへ登録することとをさらに含む、Ｃ８に記載の方法。
[Ｃ１５]  第１のネットワークのＡＰが第２のネットワークのアクセス情報を提供することが、  第１のネットワークのＡＰが第２のネットワークのＡＰの存在を検出することと、
第１のネットワークのＡＰが第２のネットワークのＡＰの利用可能性を公表することとを含む、Ｃ８に記載の方法。
[Ｃ１６]  マルチネットワーク無線通信アクセス端末（ＡＴ）において、
第１の通信ネットワークにＡＴを登録するための無線インタフェースと第２の通信ネットワークに対して受信されるアクセス情報を提供するためのインタフェースとを有する第１の通信サブシステムと、
第１のサブシステムからアクセス情報を受信するためのインタフェースと受信されるアクセス情報を提供するためのインタフェースとを有するアクセスモジュールと、
第２のネットワークを介してアクセスされるサービスを得るための無線インタフェースを備えた第２の通信サブシステムであって、第２のネットワークはアクセスモジュールに接続されたインタフェースを介して受信される第２のネットワークのアクセス情報のみを用いてアクセスされる、通信サブシステムとを含む、マルチネットワークカバレッジにアクセスするためのシステム。
[Ｃ１７]  第１のサブシステムが、システム情報、チャネル情報、およびアクセスポイントパラメータから成るグループから選択される第２のネットワークに対するアクセス情報を受信する、Ｃ１６に記載のシステム。
[Ｃ１８]  第２のサブシステムが、第２のネットワークへのアクセスに失敗し、アクセスモジュールへアクセス失敗通知を送り、
アクセスモジュールが、前記アクセス失敗通知の受信に応答してアクセス取得コマンドを第１のサブシステムに送り、かつ
第１のサブシステムが、前記アクセス取得コマンドに応答して第１のネットワークを介してサービスにアクセスする、Ｃ１６に記載のシステム。
[Ｃ１９]  第２のネットワークに対するアクセス情報の受信に失敗することと、第２のネットワーク無線カバレッジの受信に失敗することとから成るグループから選択される１つの動作に応答して第２のネットワークへのアクセスに失敗する、Ｃ１８に記載の方法。
[Ｃ２０]  第２のサブシステムが、第２のネットワークの存在を検出し、検出通知をアクセスモジュールに送り、
アクセスモジュールが、前記検出通知の受信に応答して要求コマンドを第１のサブシステムに送り、かつ
第１のサブシステムが、前記要求コマンドに応答して第１のネットワークのアクセスポイント（ＡＰ）から第２のネットワークに対するアクセス情報を要求し、前記要求に応答して第１のネットワークのＡＰから第２のネットワークに対するアクセス情報を受信する、Ｃ１６に記載のシステム。
[Ｃ２１]  第２のサブシステムが、第２のネットワークのＡＰに対する識別子を検出し、かつ
第１のサブシステムが、要求において前記第２のネットワークのＡＰ識別子を用いて第２のネットワークに対するアクセス情報を要求する、Ｃ２０に記載のシステム。
[Ｃ２２]  第１のサブシステムの無線インタフェースが、第１のネットワークのＡＰから第２のネットワークページングメッセージを受信する、Ｃ１６に記載のシステム。
[Ｃ２３]  無線通信マルチネットワークカバレッジを提供するためのシステムであって、
第１の通信ネットワークで動作している第２のＡＰの存在を検出するための無線インタフェースと検出情報を提供するためのインタフェースとを備えた第１の通信サブシステムと、
前記検出情報を受信するためのインタフェースと放送停止コマンドを提供するためのインタフェースとを有する配信モジュールと、
前記配信モジュールに接続されたインタフェースを介して前記放送停止コマンドを受信することに応答して、第２の通信ネットワークのアクセス情報の放送を停止する無線インタフェースを有する第２の通信サブシステムとを含む、第１のアクセスポイント（ＡＰ）を含むシステム。
[Ｃ２４]  第１のネットワークに第２のネットワークのアクセス情報を提供するための無線インタフェースを備えた第１の通信サブシステムを含む第２のＡＰをさらに含み、前記アクセス情報はシステム情報、チャネル情報、およびアクセスポイントパラメータから成るグループから選択される、Ｃ２３に記載のシステム。
[Ｃ２５]  第１のＡＰが、第２のネットワークのアクセス情報を第２のＡＰに提供し、かつ第２のＡＰが、第１のサブシステムの無線インタフェースを介して第１のＡＰによって提供される前記アクセス情報を放送する、Ｃ２４に記載のシステム。
[Ｃ２６]  第２のＡＰが、第１のサブシステムの無線インタフェースを介してアクセス端末（ＡＴ）から第２のネットワークのアクセス情報に対する要求を受信し、前記要求に応答して第２のネットワークのアクセス情報を提供する、Ｃ２４に記載のシステム。
[Ｃ２７]  第１のＡＰが、第１のＡＰ識別子を放送し、かつ
第２のＡＰが、前記第１のＡＰ識別子を参照してＡＴから第１のＡＰのアクセス情報に対する要求を受信する、Ｃ２６に記載のシステム。
[Ｃ２８]  第１のＡＰが、第２のネットワークのアクセス情報をレイヤー２シグナリング用にカプセル化されたメッセージで第２のＡＰに提供する、Ｃ２５に記載のシステム。
[Ｃ２９]  第２のＡＰが、第１のサブシステムの無線インタフェースを介して第１のＡＰのページングメッセージを放送し、かつ
第１のＡＰが、前記ページングメッセージに応答して第２のサブシステムの無線インタフェースを介してＡＴを登録する、Ｃ２４に記載のシステム。
[Ｃ３０]  第２のＡＰが、第１のＡＰの存在を検出し、第１の通信ネットワークサブシステムを介して第１のネットワークのＡＰの利用可能性を公表する、Ｃ２３に記載のシステム。
[Ｃ３１]  マルチネットワークカバレッジにアクセス可能な無線通信アクセス端末であって、
第１の通信ネットワークにマルチネットワークアクセス端末を登録するための手段と、
第１のネットワークへの登録に応答して第１のネットワークを介して第２の通信ネットワークに対するアクセス情報を受信するための手段と、
第１のネットワークを介して受信したアクセス情報に応答して、第２のネットワークを介してアクセスされるサービスを得るための手段とを含むアクセス端末。
[Ｃ３２]  マルチネットワーク無線通信アクセス端末（ＡＴ）において、マルチネットワークカバレッジにアクセスするための動作を実行するためのディジタル処理装置によって実行可能な機械可読命令のプログラムを明白に具体化する信号保持媒体であって、前記動作は
第１の通信ネットワークにマルチネットワークＡＴを登録することと、
第１のネットワークへの登録に応答して、第１のネットワークを介して第２の通信ネットワークに対するアクセス情報を受信することと、
第１のネットワークを介して受信したアクセス情報に応答して、第２のネットワークを介してアクセスされるサービスを得ることとを含む、信号保持媒体。
[Ｃ３３]  マルチネットワーク無線通信アクセス端末（ＡＴ）において、マルチネットワークカバレッジにアクセスするためのプロセッサデバイスであって、
第１の通信ネットワークにＡＴを登録することと、第２の通信ネットワークに対する受信されたアクセス情報を受信することとのためのインタフェースを備えた第１の通信サブシステムモジュールと、
第１のサブシステムモジュールを介して受信される第２のネットワークのアクセス情報を用いて、第２のネットワークを介してアクセスされるサービスを得るためのインタフェースを有する第２の通信サブシステムモジュールとを含む、プロセッサデバイス。
[Ｃ３４]  無線通信マルチネットワークカバレッジを提供する通信ネットワークのアクセスポイントであって、
第２の通信ネットワークのアクセスポイント（ＡＰ）が第１の通信ネットワークのＡＰの存在を検出するため手段と、
第１のネットワークのＡＰを検出することに応答して第２のネットワークのＡＰがアクセス情報の放送を停止するための手段とを含む、アクセスポイント。
[Ｃ３５]  通信ネットワークアクセスポイント（ＡＰ）において、無線通信マルチネットワークカバレッジを提供するための動作を実行するためのディジタル処理装置によって実行可能な機械可読命令のプログラムを明白に具体化する信号保持媒体であって、前記動作が、
第２の通信ネットワークのＡＰが第１の通信ネットワークのＡＰの存在を検出することと、
第１のネットワークのＡＰの検出に応答して第２のネットワークのＡＰがアクセス情報の放送を停止することとを含む、信号保持媒体。
[Ｃ３６]  通信ネットワークアクセスポイント（ＡＰ）において、無線通信マルチネットワークカバレッジを提供するためのプロセッサであって、
第１の通信ネットワークのＡＰの検出を示す信号を受信するためのインタフェースを備えた第１の通信サブシステムのモジュールと、
第１のネットワークのＡＰの検出に応答して放送停止コマンドを提供するための配信モジュールと、
前記放送停止コマンドに応答して第２の通信ネットワークのアクセス情報の放送を停止する信号を出力するためのインタフェースを備えた第２の通信サブシステムとを含む、プロセッサ。
【外国語明細書】
2014140191000001.pdf